(57)【要約】【課題】貨幣を再利用するか否かについて使用者の意志を容易に反映させる。【解決手段】動作モード切替指示受付手段に動作モードの切り替え指示操作が入力されない通常動作モードでは、識別部２１で受入不可貨幣と識別された貨幣をリジェクト部２４に、識別部２１で受入可能貨幣且つ再利用適貨幣と識別された貨幣を再利用貨幣収納部２６に、識別部２１で受入可能貨幣且つ再利用不適貨幣と識別された貨幣を再利用不可貨幣収納部２５に、振り分ける一方、動作モード切替指示受付手段に第１動作モードへの切り替え指示操作が入力された第１動作モードでは、識別部２１で受入不可貨幣と識別された貨幣をリジェクト部２４に、識別部２１で受入可能貨幣と識別された貨幣については再利用適貨幣または再利用不適貨幣と識別されたか否かに関わらず再利用不可貨幣収納部２５に振り分ける振分部２２、を備えている。【選択図】図２
2020119612.tif 000002
【特許請求の範囲】
【請求項１】
投入された貨幣を再利用適貨幣と再利用不適貨幣とに識別する識別部と、
前記識別部の識別結果に基づいて貨幣を再利用可能に収納する再利用貨幣収納部と、
前記識別部の識別結果に基づいて貨幣を再利用不可に収納する再利用不可貨幣収納部と、
前記再利用貨幣収納部に収納された貨幣を出金する出金部と、
動作モードの切り替え指示操作が入力される動作モード切替指示受付手段と、
前記動作モード切替指示受付手段に第１動作モードへの切り替え指示操作が入力された第１動作モードでは、前記識別部で再利用適貨幣または再利用不適貨幣と識別されたか否かに関わらず貨幣を前記再利用不可貨幣収納部に収納させると共に、前記動作モード切替指示受付手段に第２動作モードへの切り替え指示操作が入力された第２動作モードでは、前記識別部で再利用適貨幣または再利用不適貨幣と識別されたか否かに関わらず貨幣を前記再利用貨幣収納部に収納させる振分部と、
を備え、
前記動作モード切替指示受付手段は、使用者が入金処理の際に、前記切り替え指示操作が可能なことを特徴とする貨幣処理機。
【請求項２】
さらに、貨幣の投入を促す表示とともに、前記第１動作モードへの切り替え指示操作および前記第２動作モードへの切り替え指示操作のいずれか一つの選択入力を促す表示を行う表示部を備えたことを特徴とする請求項１記載の貨幣処理機。
【発明の詳細な説明】
【技術分野】
【０００１】
本発明は、貨幣の入出金処理を行う貨幣処理機に関する。
【背景技術】
【０００２】
紙幣の汚れ具合を検出して正券と損券とに分類する正損判別装置がある（例えば、特許文献１参照）。
【先行技術文献】
【特許文献】
【０００３】
【特許文献１】特許第３２６３１１２号公報
【発明の概要】
【発明が解決しようとする課題】
【０００４】
しかしながら、センサによる識別と人間の目視による感覚とには乖離があり、例え使用者が再利用に不適と思った貨幣も再利用されてしまう可能性がある。
【０００５】
したがって、本発明は、貨幣を再利用するか否かについて使用者の意志を容易に反映させることができる貨幣処理機の提供を目的とする。
【課題を解決するための手段】
【０００６】
上記目的を達成するために、請求項１に係る発明は、投入された貨幣を再利用適貨幣と再利用不適貨幣とに識別する識別部と、前記識別部の識別結果に基づいて貨幣を再利用可能に収納する再利用貨幣収納部と、前記識別部の識別結果に基づいて貨幣を再利用不可に収納する再利用不可貨幣収納部と、前記再利用貨幣収納部に収納された貨幣を出金する出金部と、動作モードの切り替え指示操作が入力される動作モード切替指示受付手段と、前記動作モード切替指示受付手段に第１動作モードへの切り替え指示操作が入力された第１動作モードでは、前記識別部で再利用適貨幣または再利用不適貨幣と識別されたか否かに関わらず貨幣を前記再利用不可貨幣収納部に収納させると共に、前記動作モード切替指示受付手段に第２動作モードへの切り替え指示操作が入力された第２動作モードでは、前記識別部で再利用適貨幣または再利用不適貨幣と識別されたか否かに関わらず貨幣を前記再利用貨幣収納部に収納させる振分部と、を備え、前記動作モード切替指示受付手段は、使用者が入金処理の際に、前記切り替え指示操作が可能なことを特徴とする。
【０００７】
請求項２に係る発明は、請求項１に係る発明において、さらに、貨幣の投入を促す表示とともに、前記第１動作モードへの切り替え指示操作および前記第２動作モードへの切り替え指示操作のいずれか一つの選択入力を促す表示を行う表示部を備えたことを特徴とする。
【発明の効果】
【０００８】
本発明によれば、貨幣を再利用するか否かについて使用者の意志を容易に反映させることができる貨幣処理機を提供することができる。
【図面の簡単な説明】
【０００９】
【図１】本発明の第１実施形態に係る貨幣処理機を概略的に示すブロック図である。
【図２】本発明の第１実施形態に係る貨幣処理機の紙幣入出金装置部を概略的に示すブロック図である。
【図３】本発明の第１実施形態に係る貨幣処理機の硬貨入出金装置部を概略的に示すブロック図である。
【図４】本発明の第２実施形態に係る貨幣処理機の紙幣入出金装置部を概略的に示すブロック図である。
【図５】本発明の第２実施形態に係る貨幣処理機の硬貨入出金装置部を概略的に示すブロック図である。
【発明を実施するための形態】
【００１０】
本発明の第１実施形態に係る貨幣処理機を図１〜図３を参照して以下に説明する。
【００１１】
第１実施形態の貨幣処理機１は、図１に示すように、上位機としてのＰＯＳレジ１０と、ＰＯＳレジ１０に接続されて商品代金の入金および釣銭の出金等を行う処理機本体１１とを有するものである。処理機本体１１は、貨幣のうちの紙幣の入出金処理を行う紙幣入出金装置部１２と、貨幣のうちの硬貨の入出金処理を行う硬貨入出金装置部１３とを有している。
【００１２】
図２に示すように、紙幣入出金装置部１２は、機外に臨む位置に設けられて機外から入金紙幣が投入される紙幣入金口２０と、紙幣入金口２０に投入され紙幣入金口２０から繰り出された紙幣を識別しつつ計数する紙幣入金識別部２１（識別部）と、紙幣入金識別部２１の識別結果に基づいて紙幣を振り分ける紙幣入金振分部２２（振分部）と、を有している。
【００１３】
紙幣入金識別部２１は、紙幣入金口２０に投入され紙幣入金口２０から繰り出された紙幣を、受け入れ可能な真紙幣である受入可能紙幣（受入可能貨幣）と、偽紙幣を含む受け入れ不可な受入不可紙幣（受入不可貨幣）とに識別すると共に、受入可能紙幣を金種別に計数しつつ再利用に適した再利用適紙幣（再利用適貨幣）と再利用に不適な再利用不適紙幣（再利用不適貨幣）とに識別する。ここで、再利用不適紙幣は、真紙幣であるものの紙幣汚れレベルが紙幣基準汚れレベル以上のものであり、再利用適紙幣は、真紙幣であって紙幣汚れレベルが紙幣基準汚れレベル未満のものである。
【００１４】
紙幣入金振分部２２は、紙幣入金識別部２１で受入不可紙幣と識別された紙幣と、受入可能紙幣と識別された紙幣とを振り分けると共に、受入可能紙幣と識別された紙幣を、さらに再利用不適紙幣と再利用適紙幣とに振り分けて、再利用適紙幣をさらに金種別に振り分ける。
【００１５】
紙幣入出金装置部１２は、紙幣入金識別部２１で受け入れ不可と識別されて紙幣入金振分部２２で一方に案内された受入不可紙幣を機外に取り出し可能にリジェクトする紙幣リジェクト口２４（リジェクト部）と、紙幣入金識別部２１で受入可能且つ再利用に不適と識別されて紙幣入金振分部２２で他方に案内された再利用不適紙幣を繰り出し不可つまり出金用に再利用不可に金種混合で収納する再利用不可紙幣収納部２５（再利用不可貨幣収納部）と、紙幣入金識別部２１で受入可能且つ再利用に適すると識別されて紙幣入金振分部２２で金種別に振り分けられた再利用適紙幣を出金可能つまり再利用可能に収納する金種別の再利用紙幣収納部２６（再利用貨幣収納部）と、を有している。複数の再利用紙幣収納部２６には、それぞれが収納している紙幣を一枚ずつ分離して計数しつつ繰り出す紙幣計数繰出部２７が設けられている。
【００１６】
紙幣入出金装置部１２は、金種別の再利用紙幣収納部２６から紙幣計数繰出部２７で繰り出された紙幣を計数しつつ識別して正常搬送の紙幣か重送や斜行等の異常搬送の紙幣であるかを検出する紙幣出金識別部３１と、紙幣出金識別部３１の識別結果に基づいて紙幣を複数の方向に振り分ける紙幣出金振分部３２と、紙幣出金振分部３２で一方向に振り分けられた紙幣を機外に取り出し可能に収容する紙幣出金口３３（出金部）とを有している。紙幣出金振分部３２は、紙幣出金識別部３１で正常搬送と識別された紙幣を紙幣出金口３３に、紙幣出金識別部３１で異常搬送と識別された紙幣を再利用不可紙幣収納部２５に振り分ける。紙幣出金口３３は、金種別の再利用紙幣収納部２６に収納された紙幣を機外に取り出し可能に出金する。
【００１７】
図３に示すように、硬貨入出金装置部１３は、機外に臨む位置に設けられて機外から入金硬貨が投入される硬貨入金口５０と、硬貨入金口５０に投入され硬貨入金口５０から繰り出された硬貨を識別しつつ計数する硬貨入金識別部５１（識別部）と、硬貨入金識別部５１の識別結果に基づいて硬貨を振り分ける硬貨入金振分部５２（振分部）と、を有している。
【００１８】
硬貨入金識別部５１は、硬貨入金口５０に投入され硬貨入金口５０から繰り出された硬貨を、受け入れ可能な真硬貨である受入可能硬貨（受入可能貨幣）と、偽硬貨を含む受け入れ不可な受入不可硬貨（受入不可貨幣）とに識別すると共に、受入可能硬貨を金種別に計数しつつ再利用に適した再利用適硬貨（再利用適貨幣）と再利用に不適な再利用不適硬貨（再利用不適貨幣）とに識別する。ここで、再利用不適硬貨は、真硬貨であるものの硬貨汚れレベルが硬貨基準汚れレベル以上のものであり、再利用適硬貨は、真硬貨であって硬貨汚れレベルが硬貨基準汚れレベル未満のものである。
【００１９】
硬貨入金振分部５２は、硬貨入金識別部５１で受入不可硬貨と識別された硬貨と、受入可能硬貨と識別された硬貨とを振り分けると共に、受入可能硬貨と識別された硬貨を、さらに再利用不適硬貨と再利用適硬貨とに振り分けて、再利用適硬貨をさらに金種別に振り分ける。
【００２０】
硬貨入出金装置部１３は、硬貨入金識別部５１で受け入れ不可と識別されて硬貨入金振分部５２で一方に案内された受入不可硬貨を機外に取り出し可能にリジェクトする硬貨リジェクト口５４（リジェクト部）と、硬貨入金識別部５１で受入可能且つ再利用に不適と識別されて硬貨入金振分部５２で他方に案内された再利用不適硬貨を繰り出し不可つまり出金用に再利用不可に金種混合で収納する再利用不可硬貨収納部５５（再利用不可貨幣収納部）と、硬貨入金識別部５１で受入可能且つ再利用に適すると識別されて硬貨入金振分部５２で金種別に振り分けられた再利用適硬貨を出金可能つまり再利用可能に収納する金種別の再利用硬貨収納部５６（再利用貨幣収納部）と、を有している。複数の再利用硬貨収納部５６には、それぞれが収納している紙幣を一枚ずつ分離して計数しつつ繰り出す硬貨計数繰出部５７が設けられている。
【００２１】
硬貨入出金装置部１３は、金種別の再利用硬貨収納部５６から硬貨計数繰出部５７で計数しつつ繰り出された硬貨が導入される硬貨出金口６１（出金部）を有している。硬貨出金口６１は、硬貨を機外に取り出し可能に収容することになり、よって、金種別の再利用硬貨収納部５６に収納された硬貨を機外に取り出し可能に出金する。
【００２２】
図１に示すように、ＰＯＳレジ１０は、種々のデータを記憶する記憶部７０と、使用者により操作入力がなされる操作入力部７１（動作モード切替指示受付手段）と、使用者に対して表示を行う表示部７２と、商品のバーコードを読み取るバーコード読取部７３と、ＩＤカードが走査されるとＩＤ情報を読み取るカード読取部７４と、商品の料金を顧客に向けて表示させる料金表示部７５と、用紙に印字してレシートを発行するレシート印字部７６と、これらと処理機本体１１とを制御する制御部７８（識別部，振分部）とを有している。操作入力部７１には、例えば動作モードの切り替え指示操作が入力される。
【００２３】
制御部７８は、図２に示す紙幣入出金装置部１２の紙幣入金識別部２１、紙幣計数繰出部２７および紙幣出金識別部３１の検出結果から、金種別の再利用紙幣収納部２６のそれぞれの概算収納量を把握しており、概算収納量が所定の空警告しきい値よりも小さいと収納量が空に近いと判定してその旨の空警告表示を金種と共に表示部７２に表示させることになる。また、概算収納量が所定の満杯警告しきい値よりも大きいと収納量が満杯に近いと判定してその旨の満杯警告表示を金種と共に表示部７２に表示させることになる。
【００２４】
記憶部７０には、複数段階の階層状に設定された紙幣の汚れレベルである紙幣汚れレベルを金種別に記憶する紙幣汚れレベル記憶手段９１（汚れレベル記憶手段）と、複数段階の階層状に設定された硬貨の汚れレベルである硬貨汚れレベルを金種別に記憶する硬貨汚れレベル記憶手段９２（汚れレベル記憶手段）と、が設けられている。また、記憶部７０には、複数段階の紙幣汚れレベルの中から選択設定された紙幣基準汚れレベルを記憶する紙幣基準汚れレベル記憶手段９３と、複数段階の硬貨汚れレベルの中から選択設定された硬貨基準汚れレベルを記憶する硬貨基準汚れレベル記憶手段９４と、が設けられている。
【００２５】
ここで、紙幣の汚れは、紙幣部分として検出されるもののマスタデータと色合いが異なる部分として検出されることになる。紙幣汚れレベル記憶手段９１は、複数段階の紙幣汚れレベルとして、例えば、紙幣の適正な面積に対する汚れ部分の面積の割合が小さいものから大きなものまで１０段階の紙幣汚れレベル１〜１０が設定されている。例えば、紙幣汚れレベル１は汚れ面積が５％未満とされ、紙幣汚れレベル１０は汚れ面積が４５％以上とされ、これらの間が５％刻みに設定されている。紙幣汚れレベル記憶手段９１には、このような複数段階の紙幣汚れレベルが各金種別に設定され記憶されている。
【００２６】
硬貨の汚れも、硬貨部分として検出されるもののマスタデータと色合いが異なる部分として検出されることになる。硬貨汚れレベル記憶手段９２は、複数段階の硬貨汚れレベルとして、例えば、硬貨の適正な面積に対する汚れ部分の面積の割合が小さいものから大きなものまで１０段階の硬貨汚れレベル１〜１０が設定されている。例えば、硬貨汚れレベル１は汚れ面積が５％未満とされ、硬貨汚れレベル１０は汚れ面積が４５％以上とされ、これらの間が５％刻みに設定されている。硬貨汚れレベル記憶手段９２には、このような複数段階の硬貨汚れレベルが各金種別に設定され記憶されている。
【００２７】
制御部７８は、紙幣基準汚れレベル設定手段９６（基準汚れレベル設定手段）と、硬貨基準汚れレベル設定手段９７（基準汚れレベル設定手段）とを有している。
【００２８】
紙幣基準汚れレベル設定手段９６は、基準レベル選択設定モードの実行時に、紙幣汚れレベル記憶手段９１に記憶されている複数段階の紙幣汚れレベルの中から、操作入力部７１への操作入力で選択された紙幣汚れレベルを、紙幣基準汚れレベルに設定して紙幣基準汚れレベル記憶手段９３に更新記憶させる。このような紙幣汚れレベル選択設定処理を、設定が必要なすべての金種について金種別に行う。
【００２９】
硬貨基準汚れレベル設定手段９７は、基準レベル選択設定モードの実行時に、紙幣基準汚れレベル設定手段９６と同様に、硬貨汚れレベル記憶手段９２に記憶されている複数段階の硬貨汚れレベルの中から、操作入力部７１への操作入力で選択された硬貨汚れレベルを、硬貨基準汚れレベルに設定して硬貨基準汚れレベル記憶手段９４に更新記憶させる。このような硬貨汚れレベル選択設定処理を、設定が必要なすべての金種について金種別に行う。
【００３０】
次に、以上の構成の第１実施形態の貨幣処理機１の各処理について説明する。第１実施形態の貨幣処理機１は、ＰＯＳレジ１０に入力された商品の代金と、顧客から受け取った支払金とから釣銭を出金するものであり、支払金を識別計数して釣銭を出金する釣銭後出し方式の貨幣処理機となっている。また、貨幣処理機１は硬貨および紙幣の両方を一度に処理したり、硬貨および紙幣のいずれか一方のみを処理することが可能であるが、以下では硬貨と紙幣とを一度に処理する場合を例にとり説明する。
【００３１】
バーコード読取部７３が商品のバーコードを読み取った後、操作入力部７１に読み取り完了の指示操作が入力されると、制御部７８は、読み取ったバーコードの情報に基づいて表示部７２および料金表示部７５に商品の代金を表示させると共に、支払金の投入を促す表示と、入金指示操作、第１動作モードへの切り替え指示操作および第２動作モードへの切り替え指示操作のいずれか一つの選択入力を促す表示とを表示部７２に表示させる。使用者は、顧客から支払金を受け取り、紙幣入金口２０に支払金のうちの紙幣を投入し、硬貨入金口５０に支払金のうちの硬貨を投入すると共に、入金指示操作、第１動作モードへの切り替え指示操作および第２動作モードへの切り替え指示操作のいずれか一つの選択入力を行う。
【００３２】
制御部７８は、操作入力部７１に入金指示操作が入力された場合に限り通常動作モードとなり、操作入力部７１に第１動作モードへの切り替え指示操作が入力された場合に限り第１動作モードとなり、操作入力部７１に第２動作モードへの切り替え指示操作が入力された場合に限り第２動作モードとなる。
【００３３】
操作入力部７１に動作モードの切り替え指示操作が入力されない通常動作モードで、制御部７８は、紙幣入出金装置部１２で以下の通常紙幣入金処理を行い、硬貨入出金装置部１３で以下の通常硬貨入金処理を行う。
【００３４】
「通常紙幣入金処理」
紙幣入金口２０から紙幣を一枚ずつ分離して機内へ繰り出し、紙幣入金識別部２１で、受入可能紙幣と受入不可紙幣とに識別すると共に、受入可能紙幣を金種別に計数しつつ再利用適紙幣と再利用不適紙幣とに識別する。ここで、制御部７８は、紙幣入金識別部２１で識別された紙幣の紙幣汚れレベルが紙幣基準汚れレベル記憶手段９３に記憶された紙幣基準汚れレベル以上であるか否かを判定し、紙幣基準汚れレベル以上の紙幣汚れレベルの紙幣を再利用不適紙幣と識別し、紙幣基準汚れレベル未満の紙幣汚れレベルの紙幣を再利用適紙幣と識別する。
【００３５】
そして、紙幣入金識別部２１で受入不可紙幣と識別された紙幣を紙幣リジェクト口２４に、紙幣入金識別部２１で受入可能紙幣且つ再利用不適紙幣と識別された紙幣を再利用不可紙幣収納部２５に、紙幣入金識別部２１で受入可能紙幣且つ再利用適紙幣と識別された紙幣を金種別の再利用紙幣収納部２６に、紙幣入金振分部２２が振り分ける。紙幣リジェクト口２４に搬送された受入不可紙幣は機外に取り出し可能となる。
【００３６】
「通常硬貨入金処理」
硬貨入金口５０から硬貨を一枚ずつ分離して機内へ繰り出し、硬貨入金識別部５１で、受入可能硬貨と受入不可硬貨とに識別すると共に、受入可能硬貨を金種別に計数しつつ再利用適硬貨と再利用不適硬貨とに識別する。ここで、制御部７８は、硬貨入金識別部５１で識別された硬貨の硬貨汚れレベルが硬貨基準汚れレベル記憶手段９４に記憶された硬貨基準汚れレベル以上であるか否かを判定し、硬貨基準汚れレベル以上の硬貨汚れレベルの硬貨を再利用不適硬貨と識別し、硬貨基準汚れレベル未満の汚れレベルの硬貨を再利用適硬貨と識別する。
【００３７】
そして、硬貨入金識別部５１で受入不可硬貨と識別された硬貨を硬貨リジェクト口５４に、硬貨入金識別部５１で受入可能硬貨且つ再利用不適硬貨と識別された硬貨を再利用不可硬貨収納部５５に、硬貨入金識別部５１で受入可能硬貨且つ再利用適硬貨と識別された硬貨を、金種別の再利用硬貨収納部５６に、硬貨入金振分部５２が振り分ける。硬貨リジェクト口５４に搬送された受入不可硬貨は機外に取り出し可能となる。
【００３８】
このように、通常動作モードでは、受け入れ可能な受入可能紙幣および受入可能硬貨が、出金用として再利用可能か否かの判定を、紙幣入金識別部２１および硬貨入金識別部５１の識別結果に基づいて制御部７８が行う。そして、この判定にしたがって、再利用可能な紙幣を金種別に振り分けて金種別の再利用紙幣収納部２６に収納し、再利用不可な紙幣を一括して再利用不可紙幣収納部２５に収納し、再利用可能な硬貨を金種別に振り分けて金種別の再利用硬貨収納部５６に収納し、再利用不可な硬貨を一括して再利用不可硬貨収納部５５に収納する。このため、使用者は、例えば、顧客から受け取った支払金がすべて再利用されても問題ないと考える場合に、操作入力部７１に切り替え指示操作を入力せずに入金指示操作を入力する。
【００３９】
操作入力部７１に第１動作モードへの切り替え指示操作が入力された第１動作モードで、制御部７８は、紙幣入出金装置部１２で以下の第１紙幣入金処理を行い、硬貨入出金装置部１３で以下の第１硬貨入金処理を行う。
【００４０】
「第１紙幣入金処理」
紙幣入金口２０から紙幣を一枚ずつ分離して機内へ繰り出し、紙幣入金識別部２１で、受入可能紙幣と受入不可紙幣とに識別すると共に、受入可能紙幣を金種別に計数しつつ再利用適紙幣と再利用不適紙幣とに識別する。そして、紙幣入金識別部２１で受入不可紙幣と識別された紙幣を紙幣リジェクト口２４に、紙幣入金識別部２１で受入可能紙幣且つ再利用不適紙幣と識別された紙幣と受入可能紙幣且つ再利用適紙幣と識別された紙幣とを再利用不可紙幣収納部２５に、紙幣入金振分部２２が振り分ける。紙幣リジェクト口２４に搬送された受入不可紙幣は機外に取り出し可能となる。なお、第１紙幣入金処理にあっては、第１動作モードへの切り替え指示操作が入力されたことをもって、紙幣入金識別部２１で、受入可能紙幣と受入不可紙幣とに識別すると共に、受入可能紙幣を金種別に計数するが、再利用適紙幣と再利用不適紙幣とに識別する動作は行わないように制御させても良い。
【００４１】
「第１硬貨入金処理」
硬貨入金口５０から硬貨を一枚ずつ分離して機内へ繰り出し、硬貨入金識別部５１で、受入可能硬貨と受入不可硬貨とに識別すると共に、受入可能硬貨を金種別に計数しつつ再利用適硬貨と再利用不適硬貨とに識別する。そして、硬貨入金識別部５１で受入不可硬貨と識別された硬貨を硬貨リジェクト口５４に、硬貨入金識別部５１で受入可能硬貨且つ再利用不適硬貨と識別された硬貨および受入可能硬貨且つ再利用適硬貨と識別された硬貨を再利用不可硬貨収納部５５に、硬貨入金振分部５２が振り分ける。硬貨リジェクト口５４に搬送された受入不可硬貨は機外に取り出し可能となる。なお、第１硬貨入金処理にあっては、第１動作モードへの切り替え指示操作が入力されたことをもって、硬貨入金識別部５１で、受入可能硬貨と受入不可硬貨とに識別すると共に、受入可能硬貨を金種別に計数するが、再利用適硬貨と再利用不適硬貨とに識別する動作は行わないように制御させても良い。
【００４２】
このように、第１動作モードでは、受け入れ可能な受入可能紙幣および受入可能硬貨を、出金用として一切再利用しない。つまり、紙幣入金識別部２１の識別結果から再利用可能であると判定した紙幣を含んで全ての受入可能紙幣を一括して再利用不可紙幣収納部２５に収納し、硬貨入金識別部５１の識別結果から再利用可能であると判定した硬貨を含んで全ての受入可能硬貨を一括して再利用不可硬貨収納部５５に収納する。または、紙幣入金識別部２１の識別結果から再利用可能または再利用不可の識別を行わずに全ての受入可能紙幣を一括して再利用不可紙幣収納部２５に収納し、硬貨入金識別部５１の識別結果から再利用可能または再利用不可の識別を行わずに全ての受入可能硬貨を一括して再利用不可硬貨収納部５５に収納する。このため、使用者は、例えば、顧客から受け取った支払金の中に明らかに再利用に適さないものを見つけた場合や、支払金に、表示部７２に満杯警告表示が表示された金種の貨幣を含む場合に、操作入力部７１に第１動作モードへの切り替え指示操作を入力する。
【００４３】
操作入力部７１に第２動作モードへの切り替え指示操作が入力された第２動作モードで、制御部７８は、紙幣入出金装置部１２で以下の第２紙幣入金処理を行い、硬貨入出金装置部１３で以下の第２硬貨入金処理を行う。
【００４４】
「第２紙幣入金処理」
紙幣入金口２０から紙幣を一枚ずつ分離して機内へ繰り出し、紙幣入金識別部２１で、受入可能紙幣と受入不可紙幣とに識別すると共に、受入可能紙幣を金種別に計数しつつ再利用適紙幣と再利用不適紙幣とに識別する。そして、紙幣入金識別部２１で受入不可紙幣と識別された紙幣を紙幣リジェクト口２４に、紙幣入金識別部２１で受入可能紙幣且つ再利用不適紙幣と識別された紙幣と受入可能紙幣且つ再利用適紙幣と識別された紙幣とを金種別の再利用紙幣収納部２６に、紙幣入金振分部２２が振り分ける。紙幣リジェクト口２４に搬送された受入不可紙幣は機外に取り出し可能となる。なお、第２紙幣入金処理にあっても、第２動作モードへの切り替え指示操作が入力されたことをもって、紙幣入金識別部２１で、受入可能紙幣と受入不可紙幣とに識別すると共に、受入可能紙幣を金種別に計数するが、再利用適紙幣と再利用不適紙幣とに識別する動作は行わないように制御させても良い。
【００４５】
「第２硬貨入金処理」
硬貨入金口５０から硬貨を一枚ずつ分離して機内へ繰り出し、硬貨入金識別部５１で、受入可能硬貨と受入不可硬貨とに識別すると共に、受入可能硬貨を金種別に計数しつつ再利用適硬貨と再利用不適硬貨とに識別する。そして、硬貨入金識別部５１で受入不可硬貨と識別された硬貨を硬貨リジェクト口５４に、硬貨入金識別部５１で受入可能硬貨且つ再利用不適硬貨と識別された硬貨と受入可能硬貨且つ再利用適硬貨と識別された硬貨とを金種別の再利用硬貨収納部５６に、硬貨入金振分部５２が振り分ける。硬貨リジェクト口５４に搬送された受入不可硬貨は機外に取り出し可能となる。なお、第２硬貨入金処理にあっても、第２動作モードへの切り替え指示操作が入力されたことをもって、硬貨入金識別部５１で、受入可能硬貨と受入不可硬貨とに識別すると共に、受入可能硬貨を金種別に計数するが、再利用適硬貨と再利用不適硬貨とに識別する動作は行わないように制御させても良い。
【００４６】
このように、第２動作モードでは、受け入れ可能な受入可能紙幣および受入可能硬貨を、すべて出金用として再利用する。つまり、紙幣入金識別部２１の識別結果から、再利用不可であると判定した紙幣を含んで全ての受入可能紙幣を金種別に分類して金種別の再利用紙幣収納部２６に収納し、硬貨入金識別部５１の識別結果から、再利用不可であると判定した硬貨を含んで全ての受入可能硬貨を金種別に分類して金種別の再利用硬貨収納部５６に収納する。または、紙幣入金識別部２１の識別結果から再利用可能または再利用不可の識別を行わずに全ての受入可能紙幣を一括して再利用紙幣収納部２６に収納し、硬貨入金識別部５１の識別結果から再利用可能または再利用不可の識別を行わずに全ての受入可能硬貨を一括して再利用硬貨収納部５６に収納する。このため、使用者は、例えば、支払金に表示部７２に空警告表示が表示された金種の貨幣を含む場合には、貨幣に再利用可能か否か微妙なものを含んでいても、操作入力部７１に第２動作モードへの切り替え指示操作を入力する。
【００４７】
上記した通常紙幣入金処理および通常硬貨入金処理が終了した場合と、第１紙幣入金処理および第１硬貨入金処理が終了した場合と、第２紙幣入金処理および第２硬貨入金処理が終了した場合とにおいて、制御部７８は、紙幣入金識別部２１の識別結果つまり受け入れ可能な受入可能紙幣の金種別の枚数データと、硬貨入金識別部５１の識別結果つまり受け入れ可能な受入可能硬貨の金種別の枚数データとから、支払金の合計金額を表示させると共に、了解操作およびキャンセル操作のいずれか一方の選択入力を促す表示を表示部７２に表示させる。
【００４８】
操作入力部７１に了解操作が入力されると、制御部７８は、支払金の合計金額から商品の代金を減算して釣銭金額を算出し、この釣銭金額を最小の貨幣枚数で出金させるように、紙幣入出金装置部１２で以下の紙幣出金処理を行い、硬貨入出金装置部１３で以下の硬貨出金処理を行う。また、使用者が操作入力部７１にキャンセル操作を入力すると、制御部７８は、支払金の合計金額を出金させるように、紙幣入出金装置部１２で以下の紙幣出金処理を行い、硬貨入出金装置部１３で以下の硬貨出金処理を行う。
【００４９】
「紙幣出金処理」
金種別の再利用紙幣収納部２６の対応する金種のものから紙幣計数繰出部２７で紙幣を計数しつつ繰り出し、紙幣出金識別部３１で識別しつつ計数し、紙幣出金識別部３１で正常搬送と識別された紙幣を紙幣出金振分部３２で紙幣出金口３３に放出して取り出し可能とする。このとき、紙幣出金識別部３１で異常搬送と識別された紙幣を紙幣出金振分部３２で再利用不可紙幣収納部２５に収納する。このようにして出金させるべき金額の紙幣を紙幣出金口３３に出金する。
【００５０】
「硬貨出金処理」
金種別の再利用硬貨収納部５６の対応する金種のものから硬貨計数繰出部５７で硬貨を計数しつつ繰り出して硬貨出金口６１に搬送して取り出し可能とする。このようにして出金させるべき金額の硬貨を硬貨出金口６１に出金する。なお、硬貨計数繰出部５７で繰り出された硬貨を識別する図示略の硬貨出金識別部と、硬貨出金識別部で正常な硬貨と識別されなかった異常硬貨を振り分ける図示略の硬貨出金振分部とをさらに設け、該異常硬貨を再利用不可硬貨収納部５５に収納させるように構成しても良い。
【００５１】
以上に述べた第１実施形態に係る貨幣処理機によれば、操作入力部７１に動作モードの切り替え指示操作が入力されない通常動作モードでは、紙幣入金振分部２２が、紙幣入金識別部２１で受入不可紙幣と識別された紙幣を紙幣リジェクト口２４に、紙幣入金識別部２１で受入可能紙幣且つ再利用適紙幣と識別された紙幣を金種別の再利用紙幣収納部２６に、紙幣入金識別部２１で受入可能紙幣且つ再利用不適紙幣と識別された紙幣を再利用不可紙幣収納部２５に、振り分ける。また、同じく通常動作モードでは、硬貨入金振分部５２が、硬貨入金識別部５１で受入不可硬貨と識別された硬貨を硬貨リジェクト口５４に、硬貨入金識別部５１で受入可能硬貨且つ再利用適硬貨と識別された硬貨を金種別の再利用硬貨収納部５６に、硬貨入金識別部５１で受入可能硬貨且つ再利用不適硬貨と識別された硬貨を再利用不可硬貨収納部５５に、振り分ける。
【００５２】
一方、操作入力部７１に第１動作モードへの切り替え指示操作が入力された第１動作モードでは、紙幣入金振分部２２が、紙幣入金識別部２１で受入不可紙幣と識別された紙幣を紙幣リジェクト口２４に、紙幣入金識別部２１で受入可能紙幣且つ再利用適紙幣と識別された紙幣および受入可能紙幣且つ再利用不適紙幣と識別された紙幣を再利用不可紙幣収納部２５に、振り分ける。あるいは、紙幣入金識別部２１で受入可能紙幣と識別された紙幣にあっては再利用適紙幣または再利用不適紙幣の識別を行わずに再利用不可紙幣収納部２５に振り分ける。また、同じく第１動作モードでは、硬貨入金振分部５２が、硬貨入金識別部５１で受入不可硬貨と識別された硬貨を硬貨リジェクト口５４に、硬貨入金識別部５１で受入可能硬貨且つ再利用適硬貨と識別された硬貨および受入可能硬貨且つ再利用不適硬貨と識別された硬貨を再利用不可硬貨収納部５５に、振り分ける。あるいは、硬貨入金識別部５１で受入可能硬貨と識別された硬貨にあっては再利用適硬貨または再利用不適硬貨の識別を行わずに再利用不可硬貨収納部５５に振り分ける。
【００５３】
このため、使用者が再利用に不適と思った紙幣を投入する際には、操作入力部７１に第１動作モードへの切り替え指示操作をすれば、この紙幣が紙幣入金識別部２１で受入可能紙幣且つ再利用適紙幣と識別されたとしても、または受入可能紙幣と識別されている限りは再利用適紙幣ないしは再利用不適紙幣の識別を行わずとも、強制的に再利用不可紙幣収納部２５に収納して、紙幣出金口３３から出金させる紙幣として再利用しないようにすることができる。同様に、使用者が再利用に不適と思った硬貨を投入する際には、操作入力部７１に第１動作モードへの切り替え指示操作をすれば、この硬貨が硬貨入金識別部５１で受入可能硬貨且つ再利用適硬貨と識別されたとしても、または受入可能硬貨と識別されている限りは再利用適硬貨ないしは再利用不適硬貨の識別を行わずとも、強制的に再利用不可硬貨収納部５５に収納して、硬貨出金口６１から出金させる硬貨として再利用しないようにすることができる。したがって、紙幣および硬貨を再利用するか否かについて使用者の意志を容易に反映させることができる。
【００５４】
また、操作入力部７１に第２動作モードへの切り替え指示操作が入力された第２動作モードでは、紙幣入金振分部２２が、紙幣入金識別部２１で受入不可紙幣と識別された紙幣を紙幣リジェクト口２４に、紙幣入金識別部２１で受入可能紙幣且つ再利用適紙幣と識別された紙幣および受入可能紙幣且つ再利用不適紙幣と識別された紙幣を金種別の再利用紙幣収納部２６に、振り分ける。あるいは、紙幣入金識別部２１で受入可能紙幣と識別された紙幣にあっては再利用適紙幣または再利用不適紙幣の識別を行わずに再利用紙幣収納部２６に振り分ける。同じく、第２動作モードでは、硬貨入金振分部５２が、硬貨入金識別部５１で受入不可硬貨と識別された硬貨を硬貨リジェクト口５４に、硬貨入金識別部５１で受入可能硬貨且つ再利用適硬貨と識別された硬貨および受入可能硬貨且つ再利用不適硬貨と識別された硬貨を金種別の再利用硬貨収納部５６に、振り分ける。あるいは、硬貨入金識別部５１で受入可能硬貨と識別された硬貨にあっては再利用適硬貨または再利用不適硬貨の識別を行わずに再利用硬貨収納部５６に振り分ける。
【００５５】
このため、例えば再利用紙幣収納部２６の残量が少ない場合に、操作入力部７１に第２動作モードへの切り替え指示操作をすれば、紙幣が紙幣入金識別部２１で受入可能紙幣且つ再利用不適紙幣と識別されたとしても、または受入可能紙幣と識別されている限りは再利用適紙幣ないしは再利用不適紙幣の識別を行わずとも、強制的に金種別の再利用紙幣収納部２６に収納して、紙幣出金口３３から出金させる紙幣として再利用することができる。同様に、例えば再利用硬貨収納部５６の残量が少ない場合に、操作入力部７１に第２動作モードへの切り替え指示操作をすれば、硬貨が硬貨入金識別部５１で受入可能硬貨且つ再利用不適硬貨と識別されたとしても、または受入可能硬貨と識別されている限りは再利用適硬貨ないしは再利用不適硬貨の識別を行わずとも、強制的に金種別の再利用硬貨収納部５６に収納して、硬貨出金口６１から出金させる硬貨として再利用することができる。したがって、紙幣および硬貨を再利用するか否かについて使用者の意志を容易且つ詳細に反映させることができる。
【００５６】
また、紙幣汚れレベル記憶手段９１が記憶している複数段階の紙幣汚れレベルの中から選択された紙幣汚れレベルを紙幣基準汚れレベル設定手段９６が紙幣基準汚れレベルに設定すると、紙幣入金識別部２１は、設定された紙幣基準汚れレベル以上の紙幣汚れレベルの紙幣を再利用不適紙幣と識別し、紙幣基準汚れレベル未満の紙幣汚れレベルの紙幣を再利用適紙幣と識別する。同様に、硬貨汚れレベル記憶手段９２が記憶している複数段階の硬貨汚れレベルの中から選択された硬貨汚れレベルを硬貨基準汚れレベル設定手段９７が硬貨基準汚れレベルに設定すると、硬貨入金識別部５１は、設定された硬貨基準汚れレベル以上の硬貨汚れレベルの硬貨を再利用不適硬貨と識別し、硬貨基準汚れレベル未満の硬貨汚れレベルの硬貨を再利用適硬貨と識別する。
【００５７】
このように紙幣入金識別部２１による紙幣を再利用するか否かの紙幣汚れレベルの判断基準を、複数段階の紙幣汚れレベルの中から選択可能となり、硬貨入金識別部５１による硬貨を再利用するか否かの硬貨汚れレベルの判断基準を、複数段階の硬貨汚れレベルの中から選択可能となるため、使用者の感覚との乖離を小さくすることができる。
【００５８】
なお、上記の第１実施形態においては、操作入力部７１によって入金指示操作として通常動作モードを指示した場合、紙幣入出金装置部１２は前記通常紙幣入金処理を行い、硬貨入出金装置部１３は前記通常硬貨入金処理を行い、操作入力部７１によって入金指示操作として第１動作モードを指示した場合、紙幣入出金装置部１２は前記第１紙幣入金処理を行い、硬貨入出金装置部１３は前記第１硬貨入金処理を行い、または操作入力部７１によって入金指示操作として第２動作モードを入力指示した場合、紙幣入出金装置部１２は前記第２紙幣入金処理を行い、硬貨入出金装置部１３は前記第２硬貨入金処理を行うと説明したが、これに限るものではなく、操作入力部７１によって、紙幣入出金装置部１２と硬貨入出金処理部１３のそれぞれに対して、個別に、通常動作モード、第１動作モードまたは第２動作モードのいずれかを指示操作可能としても良い。この場合、例えば、紙幣入出金装置部１２にあっては通常紙幣入金処理を指示する一方、硬貨入出金装置部１３にあっては第１硬貨入金処理を指示したり、または、紙幣入出金装置部１２にあっては第１紙幣入金処理を指示する一方、硬貨入出金装置部１３にあっては第２硬貨入金処理を指示したりすることができる。
【００５９】
本発明の第２実施形態に係る貨幣処理機を図１，図４，図５を参照しつつ第１実施形態との相違部分を中心に以下に説明する。
【００６０】
第２実施形態の貨幣処理機１は、図４に示す紙幣入出金装置部１２の紙幣入金識別部２１が、紙幣入金口２０に投入され紙幣入金口２０から繰り出された紙幣を、金種別に計数しつつ再利用に適した再利用適紙幣と再利用に不適な再利用不適紙幣とに識別する。
【００６１】
そして、紙幣入金振分部２２が、紙幣入金識別部２１で再利用不適紙幣と識別された紙幣と、再利用適紙幣と識別された紙幣とを振り分けると共に、再利用適紙幣をさらに金種別に振り分ける。
【００６２】
第２実施形態の紙幣入出金装置部１２には、第１実施形態の紙幣リジェクト口２４は設けられておらず、再利用不可紙幣収納部２５が、紙幣入金識別部２１で再利用に不適と識別されて紙幣入金振分部２２で案内された再利用不適紙幣を繰り出し不可つまり出金用に再利用不可に金種混合で収納する。また、金種別の再利用紙幣収納部２６が、紙幣入金識別部２１で再利用に適すると識別されて紙幣入金振分部２２で金種別に振り分けられた再利用適紙幣を出金可能つまり再利用可能に収納する。
【００６３】
図５に示す硬貨入出金装置部１３の硬貨入金識別部５１は、硬貨入金口５０に投入され硬貨入金口５０から繰り出された硬貨を、金種別に計数しつつ再利用に適した再利用適硬貨と再利用に不適な再利用不適硬貨とに識別する。
【００６４】
そして、硬貨入金振分部５２が、硬貨入金識別部５１で再利用不適硬貨と識別された硬貨と、再利用適硬貨と識別された硬貨とを振り分けると共に、再利用適硬貨をさらに金種別に振り分ける。
【００６５】
第２実施形態の硬貨入出金装置部１３には、第１実施形態の硬貨リジェクト口５４は設けられておらず、再利用不可硬貨収納部５５が、硬貨入金識別部５１で再利用に不適と識別されて硬貨入金振分部５２で案内された再利用不適硬貨を繰り出し不可つまり出金用に再利用不可に金種混合で収納する。また、金種別の再利用硬貨収納部５６が、硬貨入金識別部５１で再利用に適すると識別されて硬貨入金振分部５２で金種別に振り分けられた再利用適硬貨を出金可能つまり再利用可能に収納する。
【００６６】
次に、以上の構成の第２実施形態の貨幣処理機１の各処理について説明する。第２実施形態の貨幣処理機１は、ＰＯＳレジ１０に入力された商品の代金と、顧客から受け取った支払金とから釣銭を出金するものであり、支払金の合計金額を使用者が目視確認して操作入力部７１に手入力し、これに基づいて釣銭を出金する釣銭先出し方式の貨幣処理機となっている。また、第２実施形態の貨幣処理機１も硬貨および紙幣の両方を一度に処理したり、硬貨および紙幣のいずれか一方のみを処理することが可能であるが、以下では硬貨と紙幣とを一度に処理する場合を例にとり説明する。
【００６７】
バーコード読取部７３が商品のバーコードを読み取った後、操作入力部７１に読み取り完了の指示操作が入力されると、制御部７８は、読み取ったバーコードの情報に基づいて表示部７２および料金表示部７５に商品の代金を表示させると共に、顧客から受け取った支払金の合計金額の操作入力部７１への入力を促す表示を表示部７２に表示させる。
【００６８】
使用者は、顧客から受け取った支払金の合計金額を目視で計数して合計金額を操作入力部７１に入力する。操作入力部７１に支払金の合計金額が入力されると、制御部７８は、支払金の合計金額から商品の代金を減算して釣銭金額を算出し、この釣銭金額を最小の貨幣枚数で出金させるように、紙幣入出金装置部１２で以下の紙幣出金処理を行い、硬貨入出金装置部１３で以下の硬貨出金処理を行う。
【００６９】
「紙幣出金処理」
金種別の再利用紙幣収納部２６の対応する金種のものから紙幣計数繰出部２７で紙幣を計数しつつ繰り出し、紙幣出金識別部３１で識別しつつ計数し、紙幣出金識別部３１で正常搬送と識別された紙幣を紙幣出金振分部３２が紙幣出金口３３に放出して取り出し可能とする。このとき、紙幣出金識別部３１で異常搬送と識別された紙幣を紙幣出金振分部３２が再利用不可紙幣収納部２５に収納する。このようにして釣銭として出金させるべき金額の紙幣を紙幣出金口３３に出金する。
【００７０】
「硬貨出金処理」
金種別の再利用硬貨収納部５６の対応する金種のものから硬貨計数繰出部５７で硬貨を計数しつつ繰り出して硬貨出金口６１に搬送して取り出し可能とする。このようにして釣銭として出金させるべき金額の硬貨を硬貨出金口６１に出金する。なお、硬貨計数繰出部５７で繰り出された硬貨を識別する図示略の硬貨出金識別部と、硬貨出金識別部で正常な硬貨と識別されなかった異常硬貨を振り分ける図示略の硬貨出金振分部とをさらに設け、該異常硬貨を再利用不可硬貨収納部５５に収納させるように構成しても良い。
【００７１】
その後、制御部７８は、支払金の投入を促す表示と、入金指示操作、第１動作モードへの切り替え指示操作および第２動作モードへの切り替え指示操作のいずれか一つの選択入力を促す表示とを表示部７２に表示させる。使用者は、顧客から受け取った支払金のうちの紙幣を紙幣入金口２０に投入し、顧客から受け取った支払金のうちの硬貨を硬貨入金口５０に投入すると共に、入金指示操作、第１動作モードへの切り替え指示操作および第２動作モードへの切り替え指示操作のいずれか一つの選択入力を行う。
【００７２】
制御部７８は、操作入力部７１に入金指示操作が入力された場合に限り通常動作モードとなり、操作入力部７１に第１動作モードへの切り替え指示操作が入力された場合に限り第１動作モードとなり、操作入力部７１に第２動作モードへの切り替え指示操作が入力された場合に限り第２動作モードとなる。
【００７３】
操作入力部７１に動作モードの切り替え指示操作が入力されない通常動作モードで、制御部７８は、紙幣入出金装置部１２で以下の通常紙幣入金処理を行い、硬貨入出金装置部１３で以下の通常硬貨入金処理を行う。
【００７４】
「通常紙幣入金処理」
紙幣入金口２０から紙幣を一枚ずつ分離して機内へ繰り出し、紙幣入金識別部２１で、紙幣を金種別に計数しつつ再利用適紙幣と再利用不適紙幣とに識別する。ここでも、制御部７８は、紙幣入金識別部２１で識別された紙幣の紙幣汚れレベルが紙幣基準汚れレベル記憶手段９３に記憶された紙幣基準汚れレベル以上であるか否かを判定し、紙幣基準汚れレベル以上の紙幣汚れレベルの紙幣を再利用不適紙幣と識別し、紙幣基準汚れレベル未満の紙幣汚れレベルの紙幣を再利用適貨幣と識別する。
【００７５】
そして、紙幣入金識別部２１で再利用不適紙幣と識別された紙幣を再利用不可紙幣収納部２５に、紙幣入金識別部２１で再利用適紙幣と識別された紙幣を金種別の再利用紙幣収納部２６に、紙幣入金振分部２２が振り分ける。
【００７６】
「通常硬貨入金処理」
硬貨入金口５０から硬貨を一枚ずつ分離して機内へ繰り出し、硬貨入金識別部５１で、硬貨を金種別に計数しつつ再利用適硬貨と再利用不適硬貨とに識別する。ここでも、制御部７８は、硬貨入金識別部５１で識別された硬貨の硬貨汚れレベルが硬貨基準汚れレベル記憶手段９４に記憶された硬貨基準汚れレベル以上であるか否かを判定し、硬貨基準汚れレベル以上の硬貨汚れレベルの硬貨を再利用不適硬貨と識別し、硬貨基準汚れレベル未満の汚れレベルの硬貨を再利用適硬貨と識別する。
【００７７】
そして、硬貨入金識別部５１で再利用不適硬貨と識別された硬貨を再利用不可硬貨収納部５５に、硬貨入金識別部５１で再利用適硬貨と識別された硬貨を、金種別の再利用硬貨収納部５６に、硬貨入金振分部５２が振り分ける。
【００７８】
このように、通常動作モードでは、紙幣および硬貨が、出金用として再利用可能か否かの判定を、紙幣入金識別部２１および硬貨入金識別部５１の識別結果に基づいて制御部７８が行う。そして、この判定にしたがって、再利用可能な紙幣を金種別に振り分けて金種別の再利用紙幣収納部２６に収納し、再利用不可な紙幣を一括して再利用不可紙幣収納部２５に収納し、再利用可能な硬貨を金種別に振り分けて金種別の再利用硬貨収納部５６に収納し、再利用不可な硬貨を一括して再利用不可硬貨収納部５５に収納する。このため、使用者は、例えば、顧客から受け取った支払金がすべて再利用されても問題ないと考える場合に、操作入力部７１に切り替え指示操作を入力せずに入金指示操作を入力する。
【００７９】
操作入力部７１に第１動作モードへの切り替え指示操作が入力された第１動作モードで、制御部７８は、紙幣入出金装置部１２で以下の第１紙幣入金処理を行い、硬貨入出金装置部１３で以下の第１硬貨入金処理を行う。
【００８０】
「第１紙幣入金処理」
紙幣入金口２０から紙幣を一枚ずつ分離して機内へ繰り出し、紙幣入金識別部２１で、紙幣を金種別に計数しつつ再利用適紙幣と再利用不適紙幣とに識別する。そして、紙幣入金識別部２１で再利用不適紙幣と識別された紙幣と再利用適紙幣と識別された紙幣とを再利用不可紙幣収納部２５に、紙幣入金振分部２２が収納する。なお、第１紙幣入金処理にあっては、第１動作モードへの切り替え指示操作が入力されたことをもって、紙幣入金識別部２１で、受入可能紙幣を金種別に計数するが、再利用適紙幣と再利用不適紙幣とに識別する動作は行わないように制御させても良い。
【００８１】
「第１硬貨入金処理」
硬貨入金口５０から硬貨を一枚ずつ分離して機内へ繰り出し、硬貨入金識別部５１で、硬貨を金種別に計数しつつ再利用適硬貨と再利用不適硬貨とに識別する。そして、硬貨入金識別部５１で再利用不適硬貨と識別された硬貨および再利用適硬貨と識別された硬貨を再利用不可硬貨収納部５５に、硬貨入金振分部５２が収納する。なお、第１硬貨入金処理にあっては、第１動作モードへの切り替え指示操作が入力されたことをもって、硬貨入金識別部５１で、受入可能硬貨を金種別に計数するが、再利用適硬貨と再利用不適硬貨とに識別する動作は行わないように制御させても良い。
【００８２】
このように、第１動作モードでは、紙幣および硬貨を、出金用として一切再利用しない。つまり、紙幣入金識別部２１の識別結果から、再利用可能であると判定した紙幣を含んで全ての紙幣を一括して再利用不可紙幣収納部２５に収納し、硬貨入金識別部５１の識別結果から、再利用可能であると判定した硬貨を含んで全ての硬貨を一括して再利用不可硬貨収納部５５に収納する。または、紙幣入金識別部２１の識別結果から再利用可能または再利用不可の識別を行わずに全ての受入可能紙幣を一括して再利用不可紙幣収納部２５に収納し、硬貨入金識別部５１の識別結果から再利用可能または再利用不可の識別を行わずに全ての受入可能硬貨を一括して再利用不可硬貨収納部５５に収納する。このため、使用者は、例えば、顧客から受け取った支払金の中に明らかに再利用に適さないものを見つけた場合や、支払金に、表示部７２に満杯警告表示が表示された金種の貨幣を含む場合に、操作入力部７１に第１動作モードへの切り替え指示操作を入力する。
【００８３】
操作入力部７１に第２動作モードへの切り替え指示操作が入力された第２動作モードで、制御部７８は、紙幣入出金装置部１２で以下の第２紙幣入金処理を行い、硬貨入出金装置部１３で以下の第２硬貨入金処理を行う。
【００８４】
「第２紙幣入金処理」
紙幣入金口２０から紙幣を一枚ずつ分離して機内へ繰り出し、紙幣入金識別部２１で、紙幣を金種別に計数しつつ再利用適紙幣と再利用不適紙幣とに識別する。そして、紙幣入金識別部２１で再利用不適紙幣と識別された紙幣と再利用適紙幣と識別された紙幣とを金種別の再利用紙幣収納部２６に、紙幣入金振分部２２が振り分ける。なお、第２紙幣入金処理にあっても、第２動作モードへの切り替え指示操作が入力されたことをもって、紙幣入金識別部２１で、受入可能紙幣を金種別に計数するが、再利用適紙幣と再利用不適紙幣とに識別する動作は行わないように制御させても良い。
【００８５】
「第２硬貨入金処理」
硬貨入金口５０から硬貨を一枚ずつ分離して機内へ繰り出し、硬貨入金識別部５１で、硬貨を金種別に計数しつつ再利用適硬貨と再利用不適硬貨とに識別する。そして、硬貨入金識別部５１で再利用不適硬貨と識別された硬貨と再利用適硬貨と識別された硬貨とを金種別の再利用硬貨収納部５６に、硬貨入金振分部５２が振り分ける。なお、第２硬貨入金処理にあっても、第２動作モードへの切り替え指示操作が入力されたことをもって、硬貨入金識別部５１で、受入可能硬貨を金種別に計数するが、再利用適硬貨と再利用不適硬貨とに識別する動作は行わないように制御させても良い。
【００８６】
このように、第２動作モードでは、紙幣および硬貨を、すべて出金用として再利用する。つまり、紙幣入金識別部２１の識別結果から、再利用不可であると判定した紙幣を含んで全ての紙幣を金種別に分類して金種別の再利用紙幣収納部２６に収納し、硬貨入金識別部５１の識別結果から、再利用不可であると判定した硬貨を含んで全ての硬貨を金種別に分類して金種別の再利用硬貨収納部５６に収納する。または、紙幣入金識別部２１の識別結果から再利用可能または再利用不可の識別を行わずに全ての受入可能紙幣を一括して再利用紙幣収納部２６に収納し、硬貨入金識別部５１の識別結果から再利用可能または再利用不可の識別を行わずに全ての受入可能硬貨を一括して再利用硬貨収納部５６に収納する。このため、使用者は、例えば、支払金に、表示部７２に空警告表示が表示された金種の貨幣を含む場合には、貨幣に再利用可能か否か微妙なものを含んでいても、操作入力部７１に第２動作モードへの切り替え指示操作を入力する。
【００８７】
以上に述べた第２実施形態に係る貨幣処理機によれば、操作入力部７１に動作モードの切り替え指示操作が入力されない通常動作モードでは、紙幣入金振分部２２が、紙幣入金識別部２１で再利用適紙幣と識別された紙幣を金種別の再利用紙幣収納部２６に、紙幣入金識別部２１で再利用不適紙幣と識別された紙幣を再利用不可紙幣収納部２５に、振り分ける。また、同じく通常動作モードでは、硬貨入金振分部５２が、硬貨入金識別部５１で再利用適硬貨と識別された硬貨を金種別の再利用硬貨収納部５６に、硬貨入金識別部５１で再利用不適硬貨と識別された硬貨を再利用不可硬貨収納部５５に、振り分ける。
【００８８】
一方、操作入力部７１に第１動作モードへの切り替え指示操作が入力された第１動作モードでは、紙幣入金振分部２２が、紙幣入金識別部２１で再利用適紙幣と識別された紙幣および再利用不適紙幣と識別された紙幣を再利用不可紙幣収納部２５に収納させる。あるいは、紙幣入金識別部２１で再利用適紙幣または再利用不適紙幣の識別を行わずに再利用不可紙幣収納部２５に振り分ける。また、同じく第１動作モードでは、硬貨入金振分部５２が、硬貨入金識別部５１で再利用適硬貨と識別された硬貨および再利用不適硬貨と識別された硬貨を再利用不可硬貨収納部５５に収納させる。あるいは、硬貨入金識別部５１で再利用適硬貨または再利用不適硬貨の識別を行わずに再利用不可硬貨収納部５５に振り分ける。
【００８９】
このため、使用者が再利用に不適と思った紙幣を投入する際には、操作入力部７１に第１動作モードへの切り替え指示操作をすれば、この紙幣が紙幣入金識別部２１で再利用適紙幣と識別されたとしても、または再利用適紙幣ないしは再利用不適紙幣の識別を行わずとも、強制的に再利用不可紙幣収納部２５に収納して、紙幣出金口３３から出金させる紙幣として再利用しないようにすることができる。同様に、使用者が再利用に不適と思った硬貨を投入する際には、操作入力部７１に第１動作モードへの切り替え指示操作をすれば、この硬貨が硬貨入金識別部５１で再利用適硬貨と識別されたとしても、または再利用適硬貨ないしは再利用不適硬貨の識別を行わずとも、強制的に再利用不可硬貨収納部５５に収納して、硬貨出金口６１から出金させる硬貨として再利用しないようにすることができる。したがって、紙幣および硬貨を再利用するか否かについて使用者の意志を容易に反映させることができる。
【００９０】
また、操作入力部７１に第２動作モードへの切り替え指示操作が入力された第２動作モードでは、紙幣入金振分部２２が、紙幣入金識別部２１で再利用適紙幣と識別された紙幣および再利用不適紙幣と識別された紙幣を金種別の再利用紙幣収納部２６に収納させる。あるいは、紙幣入金識別部２１で再利用適紙幣または再利用不適紙幣の識別を行わずに再利用紙幣収納部２６に振り分ける。同じく、第２動作モードでは、硬貨入金振分部５２が、硬貨入金識別部５１で再利用適硬貨と識別された硬貨および再利用不適硬貨と識別された硬貨を金種別の再利用硬貨収納部５６に収納させる。あるいは、硬貨入金識別部５１で再利用適硬貨または再利用不適硬貨の識別を行わずに再利用硬貨収納部５６に振り分ける。
【００９１】
このため、例えば再利用紙幣収納部２６の残量が少ない場合に、操作入力部７１に第２動作モードへの切り替え指示操作をすれば、紙幣が紙幣入金識別部２１で再利用不適紙幣と識別されたとしても、または再利用適紙幣ないしは再利用不適紙幣の識別を行わずとも、強制的に再利用紙幣収納部２６に収納して、紙幣出金口３３から出金させる紙幣として再利用することができる。同様に、例えば再利用硬貨収納部５６の残量が少ない場合に、操作入力部７１に第２動作モードへの切り替え指示操作をすれば、硬貨が硬貨入金識別部５１で再利用不適硬貨と識別されたとしても、または再利用適硬貨ないしは再利用不適硬貨の識別を行わずとも、強制的に再利用硬貨収納部５６に収納して、硬貨出金口６１から出金させる硬貨として再利用することができる。したがって、紙幣および硬貨を再利用するか否かについて使用者の意志を容易且つ詳細に反映させることができる。
【００９２】
なお、上記の第２実施形態においても、操作入力部７１によって入金指示操作として通常動作モードを指示した場合、紙幣入出金装置部１２は前記通常紙幣入金処理を行い、硬貨入出金装置部１３は前記通常硬貨入金処理を行い、操作入力部７１によって入金指示操作として第１動作モードを指示した場合、紙幣入出金装置部１２は前記第１紙幣入金処理を行い、硬貨入出金装置部１３は前記第１硬貨入金処理を行い、または操作入力部７１によって入金指示操作として第２動作モードを入力指示した場合、紙幣入出金装置部１２は前記第２紙幣入金処理を行い、硬貨入出金装置部１３は前記第２硬貨入金処理を行うと説明したが、これに限るものではなく、操作入力部７１によって、紙幣入出金装置部１２と硬貨入出金処理部１３のそれぞれに対して、個別に、通常動作モード、第１動作モードまたは第２動作モードのいずれかを指示操作可能としても良い。この場合、例えば、紙幣入出金装置部１２にあっては通常紙幣入金処理を指示する一方、硬貨入出金装置部１３にあっては第１硬貨入金処理を指示したり、または、紙幣入出金装置部１２にあっては第１紙幣入金処理を指示する一方、硬貨入出金装置部１３にあっては第２硬貨入金処理を指示したりすることができる。
【００９３】
以上に述べた貨幣処理機１は、ＰＯＳレジ１０と処理機本体１１とから構成され、ＰＯＳレジ１０の操作入力部７１へ動作モードの切り替え指示操作が入力される場合を例にとり説明したが、処理機本体１１の操作入力部へ動作モードの切り替え指示操作が入力されるようにしても良い。また、ＰＯＳレジ１０と処理機本体１１とを組み合わせて釣銭を出金する貨幣処理機１に限らず、現金自動預払機等の貨幣処理機にも適用可能である。
【００９４】
実施形態の第１の態様は、投入された貨幣を受入可能貨幣と受入不可貨幣とに識別すると共に受入可能貨幣を再利用適貨幣と再利用不適貨幣とに識別する識別部と、前記識別部の識別結果に基づいて貨幣を機外に取り出し可能にリジェクトするリジェクト部と、前記識別部の識別結果に基づいて貨幣を再利用可能に収納する再利用貨幣収納部と、前記識別部の識別結果に基づいて貨幣を再利用不可に収納する再利用不可貨幣収納部と、前記再利用貨幣収納部に収納された貨幣を出金する出金部と、動作モードの切り替え指示操作が入力される動作モード切替指示受付手段と、前記動作モード切替指示受付手段に動作モードの切り替え指示操作が入力されない通常動作モードでは、前記識別部で受入不可貨幣と識別された貨幣を前記リジェクト部に、前記識別部で受入可能貨幣且つ再利用適貨幣と識別された少なくとも硬貨を含む貨幣を前記再利用貨幣収納部に、前記識別部で受入可能貨幣且つ再利用不適貨幣と識別された少なくとも硬貨を含む貨幣を前記再利用不可貨幣収納部に、振り分ける一方、前記動作モード切替指示受付手段に第１動作モードへの切り替え指示操作が入力された第１動作モードでは、前記識別部で受入不可貨幣と識別された貨幣を前記リジェクト部に、前記識別部で受入可能貨幣と識別された貨幣については再利用適貨幣または再利用不適貨幣と識別されたか否かに関わらず前記再利用不可貨幣収納部に、振り分ける振分部と、を備えている。
【００９５】
実施形態の第２の態様は、第１の態様において、前記振分部は、前記動作モード切替指示受付手段に第２動作モードへの切り替え指示操作が入力された第２動作モードでは、前記識別部で受入不可貨幣と識別された貨幣を前記リジェクト部に、前記識別部で受入可能貨幣と識別された貨幣については再利用適貨幣または再利用不適貨幣と識別されたか否かに関わらず前記再利用貨幣収納部に、振り分けることを特徴とする。
【００９６】
実施形態の第３の態様は、投入された貨幣を再利用適貨幣と再利用不適貨幣とに識別する識別部と、前記識別部の識別結果に基づいて貨幣を再利用可能に収納する再利用貨幣収納部と、前記識別部の識別結果に基づいて貨幣を再利用不可に収納する再利用不可貨幣収納部と、前記再利用貨幣収納部に収納された貨幣を出金する出金部と、動作モードの切り替え指示操作が入力される動作モード切替指示受付手段と、前記動作モード切替指示受付手段に動作モードの切り替え指示操作が入力されない通常動作モードでは、前記識別部で再利用適貨幣と識別された少なくとも硬貨を含む貨幣を前記再利用貨幣収納部に、前記識別部で再利用不適貨幣と識別された少なくとも硬貨を含む貨幣を前記再利用不可貨幣収納部に、振り分ける一方、前記動作モード切替指示受付手段に第１動作モードへの切り替え指示操作が入力された第１動作モードでは、前記識別部で再利用適貨幣または再利用不適貨幣と識別されたか否かに関わらず貨幣を前記再利用不可貨幣収納部に収納させる振分部と、を備えている。
【００９７】
実施形態の第４の態様は、第３の態様において、前記振分部は、前記動作モード切替指示受付手段に第２動作モードへの切り替え指示操作が入力された第２動作モードでは、前記識別部で再利用適貨幣または再利用不適貨幣と識別されたか否かに関わらず貨幣を前記再利用貨幣収納部に収納させることを特徴とする。
【００９８】
実施形態の第５の態様は、第１乃至第４のいずれか一態様において、複数段階の汚れレベルを記憶している汚れレベル記憶手段と、前記複数段階の汚れレベルの中から選択された汚れレベルを基準汚れレベルに設定する基準汚れレベル設定手段と、を備え、前記識別部は、前記基準汚れレベル以上の汚れレベルの貨幣を再利用不適貨幣と識別し、前記基準汚れレベル未満の汚れレベルの貨幣を再利用適貨幣と識別することを特徴とする。
【００９９】
実施形態の第６の態様は、第１乃至第５のいずれか一態様において、前記貨幣は、硬貨および紙幣の両方であり、前記動作モード切替指示受付手段は、硬貨および紙幣のそれぞれに対して、個別に、動作モードの切り替え指示操作が可能であることを特徴とする。
【０１００】
実施形態の第１の態様によれば、動作モード切替指示受付手段に動作モードの切り替え指示操作が入力されない通常動作モードでは、振分部が、識別部で受入不可貨幣と識別された貨幣をリジェクト部に、識別部で受入可能貨幣且つ再利用適貨幣と識別された貨幣を再利用貨幣収納部に、識別部で受入可能貨幣且つ再利用不適貨幣と識別された貨幣を再利用不可貨幣収納部に、振り分ける一方、動作モード切替指示受付手段に第１動作モードへの切り替え指示操作が入力された第１動作モードでは、振分部が、識別部で受入不可貨幣と識別された貨幣をリジェクト部に、識別部で受入可能貨幣と識別された貨幣については再利用適貨幣または再利用不適貨幣と識別されたか否かに関わらず再利用不可貨幣収納部に、振り分ける。このため、使用者が再利用に不適と思った貨幣を投入する際には、動作モード切替指示受付手段に第１動作モードへの切り替え指示操作をすれば、この貨幣が識別部で受入可能貨幣とさえ識別されれば強制的に再利用不可貨幣収納部に収納して、出金口へ出金する貨幣として再利用しないようにすることができる。したがって、貨幣を再利用するか否かについて使用者の意志を容易に反映させることができる。
【０１０１】
実施形態の第２の態様によれば、動作モード切替指示受付手段に第２動作モードへの切り替え指示操作が入力された第２動作モードでは、振分部が、識別部で受入不可貨幣と識別された貨幣をリジェクト部に、識別部で受入可能貨幣と識別された貨幣については再利用適貨幣または再利用不適貨幣と識別されたか否かに関わらず再利用貨幣収納部に、振り分ける。このため、例えば再利用貨幣収納部の残量が少ない場合に、動作モード切替指示受付手段に第２動作モードへの切り替え指示操作をすれば、貨幣が識別部で受入可能貨幣とさえ識別されれば強制的に再利用貨幣収納部に収納して、出金口へ出金する貨幣として再利用することができる。したがって、貨幣を再利用するか否かについて使用者の意志を容易且つ詳細に反映させることができる。
【０１０２】
実施形態の第３の態様によれば、動作モード切替指示受付手段に動作モードの切り替え指示操作が入力されない通常動作モードでは、振分部が、識別部で再利用適貨幣と識別された貨幣を再利用貨幣収納部に、識別部で再利用不適貨幣と識別された貨幣を再利用不可貨幣収納部に、振り分ける一方、動作モード切替指示受付手段に第１動作モードへの切り替え指示操作が入力された第１動作モードでは、振分部が、識別部で再利用適貨幣または再利用不適貨幣と識別されたか否かに関わらず貨幣を再利用不可貨幣収納部に収納させる。このため、使用者が再利用に不適と思った貨幣を投入する際には、動作モード切替指示受付手段に第１動作モードへの切り替え指示操作をすれば、この貨幣が識別部で再利用適貨幣または再利用不適貨幣と識別されたか否かに関わらず強制的に再利用不可貨幣収納部に収納して、出金口へ出金する貨幣として再利用しないようにすることができる。したがって、貨幣を再利用するか否かについて使用者の意志を容易に反映させることができる。
【０１０３】
実施形態の第４の態様によれば、動作モード切替指示受付手段に第２動作モードへの切り替え指示操作が入力された第２動作モードでは、振分部が、識別部で再利用適貨幣または再利用不適貨幣と識別されたか否かに関わらず貨幣を再利用貨幣収納部に収納させる。このため、例えば再利用貨幣収納部の残量が少ない場合に、動作モード切替指示受付手段に第２動作モードへの切り替え指示操作をすれば、貨幣が識別部で再利用不適貨幣または再利用適貨幣と識別されたか否かに関わらず強制的に再利用貨幣収納部に収納して、出金口へ出金する貨幣として再利用することができる。したがって、貨幣を再利用するか否かについて使用者の意志を容易且つ詳細に反映させることができる。
【０１０４】
実施形態の第５の態様によれば、汚れレベル記憶手段が記憶している複数段階の汚れレベルの中から選択された汚れレベルを基準汚れレベル設定手段が基準汚れレベルに設定すると、識別部は、設定された基準汚れレベル以上の汚れレベルの貨幣を再利用不適貨幣と識別し、基準汚れレベル未満の汚れレベルの貨幣を再利用適貨幣と識別する。このように識別部による貨幣を再利用するか否かの汚れレベルの判断基準を、複数段階の汚れレベルの中から選択可能となるため、使用者の感覚との乖離を小さくすることができる。
【符号の説明】
【０１０５】
１  貨幣処理機
２１  紙幣入金識別部（識別部）
２２  紙幣入金振分部（振分部）
２４  紙幣リジェクト口（リジェクト部）
２５  再利用不可紙幣収納部（再利用不可貨幣収納部）
２６  再利用紙幣収納部（再利用貨幣収納部）
３３  紙幣出金口（出金部）
５１  硬貨入金識別部（識別部）
５２  硬貨入金振分部
５４  硬貨リジェクト口（リジェクト部）
５５  再利用不可硬貨収納部（再利用不可貨幣収納部）
５６  再利用硬貨収納部（再利用貨幣収納部）
６１  硬貨出金口（出金部）
７１  操作入力部（動作モード切替指示受付手段）
７８  制御部（識別部，振分部）
９１  紙幣汚れレベル記憶手段（汚れレベル記憶手段）
９２  硬貨汚れレベル記憶手段（汚れレベル記憶手段）
９６  紙幣基準汚れレベル設定手段（基準汚れレベル設定手段）
９７  硬貨基準汚れレベル設定手段（基準汚れレベル設定手段）
【図１】
2020119612.tif 000003
【図２】
2020119612.tif 000004
【図３】
2020119612.tif 000005
【図４】
2020119612.tif 000006
【図５】
2020119612.tif 000007